【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
複数のフレームデータからなる画像データの供給を受けて符号化する符号化装置において、
第１のフレームデータ、および、前記第１のフレームデータと異なる第２のフレームデータにおいて、複数の処理領域を有する処理ブロックにおける第１の動きベクトルを推定する第１の動きベクトル推定手段と、
前記処理ブロックにおいて、前記第１の動きベクトルとは異なる第２の動きベクトルを推定する第２の動きベクトル推定手段と、
前記処理領域ごとに、前記第１の動きベクトルと前記第２の動きベクトルとのうちのいずれかを選択する動きベクトル選択手段と、
前記動きベクトル選択手段により選択された前記第１の動きベクトルと前記第２の動きベクトルとのうちのいずれか一方に基づいて、前記処理領域に対応する画素を抽出する抽出手段と、
前記抽出手段により抽出された前記画素を用いて、前記動きベクトル選択手段により選択された前記第１の動きベクトルと前記第２の動きベクトルとのうちのいずれか一方に対応する前記処理領域の画素データを予測するための予測データを算出する予測データ算出手段と
を備えることを特徴とする符号化装置。
【請求項２】
前記第１のフレームデータおよび前記第２のフレームデータに対して、画像のエッジを強調させる処理を施す画像処理手段
を更に備えることを特徴とする請求項１に記載の符号化装置。
【請求項３】
前記画像処理手段は、ハイパスフィルタである
ことを特徴とする請求項２に記載の符号化装置。
【請求項４】
前記フレームデータにノイズを付加するノイズ付加手段
を更に備えることを特徴とする請求項１に記載の符号化装置。
【請求項５】
前記第１の動きベクトル推定手段により推定された前記第１の動きベクトルと、前記第１のフレームデータとを基に、前記第１の動きベクトルの検出誤差を算出する誤差算出手段を更に備え、
前記第１の動きベクトル推定手段は、前記第１のフレームデータおよび前記第２のフレームデータに対するブロックマッチング処理により、前記第１の動きベクトルを推定し、
前記第２の動きベクトル推定手段は、前記第１のフレームデータおよび前記第２のフレームデータに対して、前記誤差算出手段により算出された前記第１の動きベクトルの検出誤差に基づいて重み付けされたブロックマッチング処理により、前記第２の動きベクトルを推定する
ことを特徴とする請求項１に記載の符号化装置。
【請求項６】
前記予測データ算出手段は、前記抽出手段により抽出された複数の前記画素の画素値にそれぞれ所定の係数を乗算した値の和と、対応する前記第１のフレームデータ内の画素の画素値との関係を基に、最小自乗法を用いて、前記第１の動きベクトルに対応する場合の前記係数の最適値を第１の予測データとして、前記第２の動きベクトルに対応する場合の前記係数の最適値を第２の予測データとして、それぞれ算出する
ことを特徴とする請求項１に記載の符号化装置。
【請求項７】
予測データ算出手段により算出された前記予測データは、
前記第１の動きベクトルに対応する第１の予測データと、
前記第２の動きベクトルに対応する第２の予測データと
を含む
ことを特徴とする請求項６に記載の符号化装置。
【請求項８】
前記第１のフレームデータに対応する符号化結果を出力する出力手段を更に備え、
前記出力手段は、
前記第１の動きベクトル推定手段により推定された前記第１の動きベクトルと、
前記第２の動きベクトル推定手段により推定された前記第２の動きベクトルと、
前記動きベクトル選択手段による選択結果を示すデータと、
前記予測データ算出手段により算出された前記予測データと
を出力する
ことを特徴とする請求項１に記載の符号化装置。
【請求項９】
複数のフレームデータからなる画像データの供給を受けて符号化する符号化装置の符号化方法において、
第１のフレームデータ、および、前記第１のフレームデータと異なる第２のフレームデータにおいて、複数の処理領域を有する処理ブロックにおける第１の動きベクトルを推定する第１の動きベクトル推定ステップと、
前記処理ブロックにおいて、前記第１の動きベクトルとは異なる第２の動きベクトルを推定する第２の動きベクトル推定ステップと、
前記処理領域ごとに、前記第１の動きベクトルと前記第２の動きベクトルとのうちのいずれかを選択する動きベクトル選択ステップと、
前記動きベクトル選択ステップの処理により選択された前記第１の動きベクトルと前記第２の動きベクトルとのうちのいずれか一方に基づいて、前記処理領域に対応する画素を抽出する抽出ステップと、
前記抽出ステップの処理により抽出された前記画素を用いて、前記動きベクトル選択ステップの処理により選択された前記第１の動きベクトルと前記第２の動きベクトルとのうちのいずれか一方に対応する前記処理領域の画素データを予測するための予測データを算出する予測データ算出ステップと
を含むことを特徴とする符号化方法。
【請求項１０】
複数のフレームデータからなる画像データの供給を受けて符号化する処理をコンピュータに実行させるためのプログラムであって、
第１のフレームデータ、および、前記第１のフレームデータと異なる第２のフレームデータにおいて、複数の処理領域を有する処理ブロックにおける第１の動きベクトルを推定する第１の動きベクトル推定ステップと、
前記処理ブロックにおいて、前記第１の動きベクトルとは異なる第２の動きベクトルを推定する第２の動きベクトル推定ステップと、
前記処理領域ごとに、前記第１の動きベクトルと前記第２の動きベクトルとのうちのいずれかを選択する動きベクトル選択ステップと、
前記動きベクトル選択ステップの処理により選択された前記第１の動きベクトルと前記第２の動きベクトルとのうちのいずれか一方に基づいて、前記処理領域に対応する画素を抽出する抽出ステップと、
前記抽出ステップの処理により抽出された前記画素を用いて、前記動きベクトル選択ステップの処理により選択された前記第１の動きベクトルと前記第２の動きベクトルとのうちのいずれか一方に対応する前記処理領域の画素データを予測するための予測データを算出する予測データ算出ステップと
を含むことを特徴とするプログラムが記録されたコンピュータにより読み取り可能な記録媒体。
【請求項１１】
複数のフレームデータからなる画像データの供給を受けて符号化する処理をコンピュータに実行させるためのプログラムであって、
第１のフレームデータ、および、前記第１のフレームデータと異なる第２のフレームデータにおいて、複数の処理領域を有する処理ブロックにおける第１の動きベクトルを推定する第１の動きベクトル推定ステップと、
前記処理ブロックにおいて、前記第１の動きベクトルとは異なる第２の動きベクトルを推定する第２の動きベクトル推定ステップと、
前記処理領域ごとに、前記第１の動きベクトルと前記第２の動きベクトルとのうちのいずれかを選択する動きベクトル選択ステップと、
前記動きベクトル選択ステップの処理により選択された前記第１の動きベクトルと前記第２の動きベクトルとのうちのいずれか一方に基づいて、前記処理領域に対応する画素を抽出する抽出ステップと、
前記抽出ステップの処理により抽出された前記画素を用いて、前記動きベクトル選択ステップの処理により選択された前記第１の動きベクトルと前記第２の動きベクトルとのうちのいずれか一方に対応する前記処理領域の画素データを予測するための予測データを算出する予測データ算出ステップと
を含むことを特徴とする処理をコンピュータに実行させるプログラム。
【請求項１２】
符号化された画像データの供給を受けて復号する復号装置において、
複数の処理領域を有する処理ブロックにおける第１の動きベクトル、前記処理ブロックにおける第２の動きベクトル、および、前記第１の動きベクトルと前記第２の動きベクトルとのうちのいずれを復号に用いるのが最適であるかを前記処理領域ごとに示す最適動きベクトル情報の入力を受け、前記処理ブロックの前記処理領域ごとに最適な動きベクトルを決定する動きベクトル決定手段と、
前記処理領域に含まれる画素データを予測するための予測データの入力を受け、前記動きベクトル決定手段により決定された前記動きベクトルと、前記予測データとを基に、前記処理ブロック内の画素データを算出する算出手段と
を備えることを特徴とする復号装置。
【請求項１３】
前記算出手段により算出された前記画素データに、ノイズを付加するノイズ付加手段
を更に備えることを特徴とする請求項１２に記載の復号装置。
【請求項１４】
前記予測データは、
前記第１の動きベクトルに対応する第１の予測データと、
前記第２の動きベクトルに対応する第２の予測データと
を含む
ことを特徴とする請求項１２に記載の復号装置。
【請求項１５】
前記第１の予測データ、前記第２の予測データ、および、前記最適動きベクトル情報の入力を受け、前記処理領域ごとに、前記算出手段による処理に前記第１の予測データと前記第２の予測データとのいずれを用いるかを選択する予測データ選択手段
を更に備えることを特徴とする請求項１４に記載の復号装置。
【請求項１６】
前記予測データは、前記処理領域に対応する周辺画素にそれぞれ所定の係数を乗算した値の和と、対応する前記第１のフレームデータ内の画素の画素値との関係を基に、最小自乗法を用いて算出された、前記係数の最適値である
ことを特徴とする請求項１４に記載の復号装置。
【請求項１７】
前記算出手段は、
前記動きベクトル決定手段により決定された前記動きベクトルを基に、注目画素に対応する周辺画素の画素値を抽出し、
抽出された前記画素値に前記予測データを乗算することにより、前記処理ブロック内の画素データを算出する
ことを特徴とする請求項１２に記載の復号装置。
【請求項１８】
符号化された画像データの供給を受けて復号する復号装置の復号方法において、
複数の処理領域を有する処理ブロックにおける第１の動きベクトル、前記処理ブロックにおける第２の動きベクトル、および、前記第１の動きベクトルと前記第２の動きベクトルとのうちのいずれを復号に用いるのが最適であるかを前記処理領域ごとに示す最適動きベクトル情報の入力を受け、前記処理ブロックの前記処理領域ごとに最適な動きベクトルを決定する動きベクトル決定ステップと、
前記処理領域に含まれる画素データを予測するための予測データの入力を受け、前記動きベクトル決定ステップの処理により決定された前記動きベクトルと、前記予測データとを基に、前記処理ブロック内の画素データを算出する算出ステップと
を含むことを特徴とする復号方法。
【請求項１９】
符号化された画像データの供給を受けて復号する処理をコンピュータに実行させるためのプログラムであって、
複数の処理領域を有する処理ブロックにおける第１の動きベクトル、前記処理ブロックにおける第２の動きベクトル、および、前記第１の動きベクトルと前記第２の動きベクトルとのうちのいずれを復号に用いるのが最適であるかを前記処理領域ごとに示す最適動きベクトル情報の入力を受け、前記処理ブロックの前記処理領域ごとに最適な動きベクトルを決定する動きベクトル決定ステップと、
前記処理領域に含まれる画素データを予測するための予測データの入力を受け、前記動きベクトル決定ステップの処理により決定された前記動きベクトルと、前記予測データとを基に、前記処理ブロック内の画素データを算出する算出ステップと
を含むことを特徴とするプログラムが記録されたコンピュータにより読み取り可能な記録媒体。
【請求項２０】
符号化された画像データの供給を受けて復号する処理をコンピュータに実行させるためのプログラムであって、
複数の処理領域を有する処理ブロックにおける第１の動きベクトル、前記処理ブロックにおける第２の動きベクトル、および、前記第１の動きベクトルと前記第２の動きベクトルとのうちのいずれを復号に用いるのが最適であるかを前記処理領域ごとに示す最適動きベクトル情報の入力を受け、前記処理ブロックの前記処理領域ごとに最適な動きベクトルを決定する動きベクトル決定ステップと、
前記処理領域に含まれる画素データを予測するための予測データの入力を受け、前記動きベクトル決定ステップの処理により決定された前記動きベクトルと、前記予測データとを基に、前記処理ブロック内の画素データを算出する算出ステップと
を含むことを特徴とする処理をコンピュータに実行させるためのプログラム。
【請求項２１】
符号化部および復号部を含み、前記符号化部および前記復号部において、複数のフレームデータで構成される画像データに対して符号化処理および復号処理を繰り返すことにより、前記画像データが劣化するようになされている画像処理システムにおいて、
前記符号化部は、
前記画像データに含まれる第１のフレームデータ、および、前記第１のフレームデータと異なる第２のフレームデータにおいて、複数の処理領域を有する処理ブロックにおける第１の動きベクトルを推定する第１の動きベクトル推定手段と、
前記処理ブロックにおいて、前記第１の動きベクトルとは異なる第２の動きベクトルを推定する第２の動きベクトル推定手段と、
前記処理領域ごとに、前記第１の動きベクトルと前記第２の動きベクトルとのうちのいずれかを選択する動きベクトル選択手段と、
前記動きベクトル選択手段により選択された前記第１の動きベクトルと前記第２の動きベクトルとのうちのいずれか一方に基づいて、前記処理領域に対応する画素を抽出する抽出手段と、
前記抽出手段により抽出された前記画素を用いて、前記動きベクトル選択手段により選択された前記第１の動きベクトルと前記第２の動きベクトルとのうちのいずれか一方に対応する前記処理領域の画素データを予測するための予測データを算出する予測データ算出手段と
を備える
ことを特徴とする画像処理システム。
【請求項２２】
符号化部および復号部を含み、前記符号化部および前記復号部において、複数のフレームデータで構成される画像データに対して符号化処理および復号処理を繰り返すことにより、前記画像データが劣化するようになされている画像処理システムにおいて、
前記復号部は、
複数の処理領域を有する処理ブロックにおける第１の動きベクトル、前記処理ブロックにおける第２の動きベクトル、および、前記第１の動きベクトルと前記第２の動きベクトルとのうちのいずれを復号に用いるのが最適であるかを前記処理領域ごとに示す最適動きベクトル情報の入力を受け、前記処理ブロックの前記処理領域ごとに最適な動きベクトルを決定する動きベクトル決定手段と、
前記処理領域に含まれる画素データを予測するための予測データの入力を受け、前記動きベクトル決定手段により決定された前記動きベクトルと、前記予測データとを基に、前記処理ブロック内の画素データを算出する算出手段と
を備える
ことを特徴とする画像処理システム。
【手続補正２】
【補正対象書類名】明細書
【補正対象項目名】発明の名称
【補正方法】変更
【補正の内容】
【発明の名称】符号化装置および方法、復号装置および方法、画像処理システム、記録媒体、並びにプログラム
【手続補正３】
【補正対象書類名】明細書
【補正対象項目名】０００１
【補正方法】変更
【補正の内容】
【０００１】
本発明は、符号化装置および方法、復号装置および方法、画像処理システム、記録媒体、並びにプログラムに関し、特に、アナログ信号を利用した不正コピーを防止する符号化装置および方法、復号装置および方法、画像処理システム、記録媒体、並びにプログラムに関する。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】
【手続補正６】
【補正対象書類名】明細書
【補正対象項目名】００３０
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００４４
【補正方法】削除
【補正の内容】
【手続補正１２】
【補正対象書類名】明細書
【補正対象項目名】００４５
【補正方法】削除
【補正の内容】
【手続補正１３】
【補正対象書類名】明細書
【補正対象項目名】００４６
【補正方法】削除
【補正の内容】
【手続補正１４】
【補正対象書類名】明細書
【補正対象項目名】００４７
【補正方法】削除
【補正の内容】
【手続補正１５】
【補正対象書類名】明細書
【補正対象項目名】００４８
【補正方法】削除
【補正の内容】
【手続補正１６】
【補正対象書類名】明細書
【補正対象項目名】００５２
【補正方法】削除
【補正の内容】
【手続補正１７】
【補正対象書類名】明細書
【補正対象項目名】００５３
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】変更
【補正の内容】
【００５７】
本発明の符号化装置および符号化方法、第１のプログラム、並びに、第１の画像処理システムにおいては、第１のフレームデータ、および、第１のフレームデータと異なる第２のフレームデータにおいて、複数の処理領域を有する処理ブロックにおける第１の動きベクトルが推定され、処理ブロックにおいて、第１の動きベクトルとは異なる第２の動きベクトルが推定され、処理領域ごとに、第１の動きベクトルと第２の動きベクトルとのうちのいずれかが選択され、選択された第１の動きベクトルと第２の動きベクトルとのうちのいずれか一方に基づいて、処理領域に対応する画素が抽出され、抽出された画素を用いて、選択された第１の動きベクトルと第２の動きベクトルとのうちのいずれか一方に対応する処理領域の画素データを予測するための予測データが算出される。
【手続補正２１】
【補正対象書類名】明細書
【補正対象項目名】００５８
【補正方法】変更
【補正の内容】
【００５８】
本発明の復号装置および復号方法、第２のプログラム、並びに、第２の画像処理システムにおいては、複数の処理領域を有する処理ブロックにおける第１の動きベクトル、処理ブロックにおける第２の動きベクトル、および、第１の動きベクトルと第２の動きベクトルとのうちのいずれを復号に用いるのが最適であるかを処理領域ごとに示す最適動きベクトル情報の入力を受け、処理ブロックの処理領域ごとに最適な動きベクトルが決定され、処理領域に含まれる画素データを予測するための予測データの入力を受け、動きベクトル決定ステップの処理により決定された動きベクトルと、予測データとを基に、処理ブロック内の画素データが算出される。
【手続補正２２】
【補正対象書類名】明細書
【補正対象項目名】００７０
【補正方法】削除
【補正の内容】
【手続補正２３】
【補正対象書類名】明細書
【補正対象項目名】００７１
【補正方法】削除
【補正の内容】
【手続補正２４】
【補正対象書類名】明細書
【補正対象項目名】００７２
【補正方法】削除
【補正の内容】
【手続補正２５】
【補正対象書類名】明細書
【補正対象項目名】００７３
【補正方法】削除
【補正の内容】
【手続補正２６】
【補正対象書類名】明細書
【補正対象項目名】００７４
【補正方法】削除
【補正の内容】
【手続補正２７】
【補正対象書類名】明細書
【補正対象項目名】００７５
【補正方法】変更
【補正の内容】
【００７５】
また、請求項１０に記載の記録媒体に記録されているプログラム、および、請求項１１に記載のプログラムにおいても、各ステップが対応する実施の形態（但し一例）は、請求項９に記載の符号化方法と同様である。
【手続補正２８】
【補正対象書類名】明細書
【補正対象項目名】００７６
【補正方法】変更
【補正の内容】
【００７６】
請求項１２に記載の復号装置（例えば、図２の復号部７１または復号部８４、もしくは、図３のデコーダ１１４）は、複数の処理領域（例えば、画素）を有する処理ブロック（例えば、動き探索を実行するときのブロック）における第１の動きベクトル、処理ブロックにおける第２の動きベクトル、および、第１の動きベクトルと第２の動きベクトルとのうちのいずれを復号に用いるのが最適であるかを処理領域ごとに示す最適動きベクトル情報の入力を受け、処理ブロックの処理領域ごとに最適な動きベクトルを決定する動きベクトル決定手段（例えば、図１４または図１６の動き対象位置算出部２７３）と、処理領域に含まれる画素データを予測するための予測データ（例えば、フィルタ係数）の入力を受け、動きベクトル決定手段により決定された動きベクトルと、予測データとを基に、処理ブロック内の画素データを算出する算出手段（例えば、図１４または図１６の画素切り出し部２７４およびフィルタ係数乗算部２７６）とを備えることを特徴とする。
【手続補正２９】
【補正対象書類名】明細書
【補正対象項目名】００８１
【補正方法】変更
【補正の内容】
【００８１】
請求項１８に記載の復号方法は、符号化された画像データの供給を受けて復号する復号装置（例えば、図２の復号部７１または復号部８４、もしくは、図３のデコーダ１１４）の復号方法であって、複数の処理領域（例えば、画素）を有する処理ブロック（例えば、動き探索を実行するときのブロック）における第１の動きベクトル、処理ブロックにおける第２の動きベクトル、および、第１の動きベクトルと第２の動きベクトルとのうちのいずれを復号に用いるのが最適であるかを処理領域ごとに示す最適動きベクトル情報の入力を受け、処理ブロックの処理領域ごとに最適な動きベクトルを決定する動きベクトル決定ステップ（例えば、図２１のステップＳ１１５の処理）と、処理領域に含まれる画素データを予測するための予測データ（例えば、フィルタ係数）の入力を受け、動きベクトル決定ステップの処理により決定された動きベクトルと、予測データとを基に、処理ブロック内の画素データを算出する算出ステップ（例えば、図２１のステップＳ１１８の処理）とを含むことを特徴とする。
【手続補正３０】
【補正対象書類名】明細書
【補正対象項目名】００８２
【補正方法】削除
【補正の内容】
【手続補正３１】
【補正対象書類名】明細書
【補正対象項目名】００８３
【補正方法】削除
【補正の内容】
【手続補正３２】
【補正対象書類名】明細書
【補正対象項目名】００８４
【補正方法】削除
【補正の内容】
【手続補正３３】
【補正対象書類名】明細書
【補正対象項目名】００８５
【補正方法】削除
【補正の内容】
【手続補正３４】
【補正対象書類名】明細書
【補正対象項目名】００８６
【補正方法】変更
【補正の内容】
【００８６】
また、請求項１９に記載の記録媒体に記録されているプログラム、および、請求項２０に記載のプログラムにおいても、各ステップが対応する実施の形態（但し一例）は、請求項１８に記載の復号方法と同様である。
【手続補正３５】
【補正対象書類名】明細書
【補正対象項目名】００８７
【補正方法】変更
【補正の内容】
【００８７】
請求項２１に記載の画像処理システムは、符号化部（例えば、図２の符号化装置６３または符号化部８２）および復号部（例えば、図２の復号部７１または復号部８４、もしくは、図３のデコーダ１１４）を含み、符号化部および復号部において、複数のフレームデータで構成される画像データに対して符号化処理および復号処理を繰り返すことにより、画像データが劣化するようになされている画像処理システムにであって、符号化部は、画像データに含まれる第１のフレームデータ、および、第１のフレームデータと異なる第２のフレームデータにおいて、複数の処理領域（例えば、画素）を有する処理ブロック（例えば、動き探索を実行するときのブロック）における第１の動きベクトルを推定する第１の動きベクトル推定手段（例えば、図３のブロックマッチング動き探索部１０８）と、処理ブロックにおいて、第１の動きベクトルとは異なる第２の動きベクトルを推定する第２の動きベクトル推定手段（例えば、図３の評価値変更ブロックマッチング動き探索部１１１）と、処理領域ごとに、第１の動きベクトルと第２の動きベクトルとのうちのいずれかを選択する動きベクトル選択手段（例えば、図３の最適動き決定部１１２）と、動きベクトル選択手段により選択された第１の動きベクトルと第２の動きベクトルとのうちのいずれか一方に基づいて、処理領域に対応する画素（例えば、図１３の５つのタップ）を抽出する抽出手段（例えば、図１２の第１のタップ抽出部２４６および第２のタップ抽出部２４７）と、抽出手段により抽出された画素を用いて、動きベクトル選択手段により選択された第１の動きベクトルと第２の動きベクトルとのうちのいずれか一方に対応する処理領域の画素データを予測するための予測データ（例えば、フィルタ係数）を算出する予測データ算出手段（例えば、図１２の第１の近傍予測フィルタ係数算出部２４８および第２の近傍予測フィルタ係数算出部２４９）とを備えることを特徴とする。
【手続補正３６】
【補正対象書類名】明細書
【補正対象項目名】００８８
【補正方法】削除
【補正の内容】
【手続補正３７】
【補正対象書類名】明細書
【補正対象項目名】００８９
【補正方法】削除
【補正の内容】
【手続補正３８】
【補正対象書類名】明細書
【補正対象項目名】００９０
【補正方法】変更
【補正の内容】
【００９０】
請求項２２に記載の画像処理システムは、符号化部（例えば、図２の符号化装置６３または符号化部８２）および復号部（例えば、図２の復号部７１または復号部８４、もしくは、図３のデコーダ１１４）を含み、符号化部および復号部において、複数のフレームデータで構成される画像データに対して符号化処理および復号処理を繰り返すことにより、画像データが劣化するようになされている画像処理システムであって、復号部は、複数の処理領域（例えば、画素）を有する処理ブロック（例えば、動き探索を実行するときのブロック）における第１の動きベクトル、処理ブロックにおける第２の動きベクトル、および、第１の動きベクトルと第２の動きベクトルとのうちのいずれを復号に用いるのが最適であるかを処理領域ごとに示す最適動きベクトル情報の入力を受け、処理ブロックの処理領域ごとに最適な動きベクトルを決定する動きベクトル決定手段（例えば、図１４または図１６の動き対象位置算出部２７３）と、処理領域に含まれる画素データを予測するための予測データ（例えば、フィルタ係数）の入力を受け、動きベクトル決定手段により決定された動きベクトルと、予測データとを基に、処理ブロック内の画素データを算出する算出手段（例えば、図１４または図１６の画素切り出し部２７４およびフィルタ係数乗算部２７６）とを備えることを特徴とする。
【手続補正３９】
【補正対象書類名】明細書
【補正対象項目名】００９１
【補正方法】削除
【補正の内容】
【手続補正４０】
【補正対象書類名】明細書
【補正対象項目名】００９２
【補正方法】削除
【補正の内容】